【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  データサンプルを逆拡散して逆拡散値を生成する手段(502)と、
前記逆拡散値を処理して瞬間チャネル測定値を生成する手段(506)と、
前記瞬間チャネル測定値を使用してチャネル追跡し、チャネル推定値を生成する手段(508)と、
前記チャネル推定値と前記瞬間チャネル測定値とを使用して位相誤差を計算する手段(512)と、
前記位相誤差を使用して、周波数誤差推定値を生成すると共に位相推定値を生成する手段(514)とを有することを特徴とする周波数及びチャネル追跡装置。
【請求項２】  前記逆拡散値を処理する手段(506)は、前記位相推定値を使用して前記瞬間チャネル測定値を生成することを特徴とする請求項１記載の周波数及びチャネル追跡装置。
【請求項３】  前記位相誤差を計算する手段(512)は位相アンラッピングを使用して動作することを特徴とする請求項１記載の周波数及びチャネル追跡装置。
【請求項４】  前記周波数誤差推定値を他の周波数及びチャネル追跡装置に対応する周波数誤差推定値に初期化する手段を有することを特徴とする請求項１記載の周波数及びチャネル追跡装置。
【請求項５】  前記位相推定値を逆拡散値の位相に初期化する手段を有することを特徴とする請求項１記載の周波数及びチャネル追跡装置。
【請求項６】  前記位相推定値を生成する手段(514)は、ステップサイズが時間中に変化する位相同期ループ(PLL)を使用して動作することを特徴とする請求項１記載の周波数及びチャネル追跡装置。
【請求項７】  前記処理する手段(506)は、前記逆拡散値を逆回転して逆回転した逆拡散値を生成するよう動作し、
前記位相推定値を生成する手段(514)は、前記逆回転した逆拡散値を使用して前記周波数誤差推定値を生成するよう動作し、
前記チャネル推定値を生成する手段(508)は、前記逆回転した逆拡散値を使用して動作することを特徴とする請求項１乃至６のいずれか１つに記載の周波数及びチャネル追跡装置。
【請求項８】  請求項１に記載の周波数及びチャネル追跡装置を有するレーキ受信機であって、
前記データサンプルを逆拡散する手段(602a,602b)が、トラヒック・チャネル逆拡散コードを使用してトラヒック逆拡散値を生成するよう動作し、更に、パイロット・チャネル逆拡散コードを使用してパイロット逆拡散値を生成するよう動作し、
前記処理する手段(506)が、前記パイロット逆拡散値を処理して瞬間チャネル測定値を生成するよう動作し、
前記チャネル推定値と前記位相推定値とを使用して前記トラヒック逆拡散値を処理する手段を有することを特徴とするレーキ受信機。
【請求項９】  請求項１に記載の周波数及びチャネル追跡装置を有するレーキ受信機であって、
前記データサンプルを逆拡散する手段(602a,602b)が、トラヒック・チャネル逆拡散コードを使用してトラヒック逆拡散値を生成するよう動作し、更に、パイロット・チャネル逆拡散コードを使用してパイロット逆拡散値を生成するよう動作し、
前記処理する手段(506)が、前記パイロット逆拡散値を逆回転して逆回転値を生成するよう動作し、
前記チャネル追跡する手段(508)が、前記逆回転値を使用して前記チャネル推定値を生成するよう動作し、
前記位相誤差を計算する手段(512)が、前記逆回転値を使用して動作し、
前記位相推定値を生成する手段(514)が、前記位相誤差を使用して周波数誤差推定値を生成するよう動作し、
前記チャネル推定値と前記位相推定値とを使用して前記トラヒック逆拡散値を処理し、情報シンボルを検出する手段を有することを特徴とするレーキ受信機。
【請求項１０】  請求項１に記載の周波数及びチャネル追跡装置と更に周波数補足装置を有するＤＳ−ＳＳ受信機であって、
前記周波数補足装置が、
データサンプルを逆拡散して逆拡散値を生成する相関器(302)と、
前記逆拡散値を使用して周波数誤差推定値を生成する推定ユニット(306,400)と、
前記周波数誤差推定値を使用して周波数補正率を形成する補正器(308)と、
前記周波数補正率を使用して前記逆拡散値を処理し、処理値を生成する処理回路(310,312)と、
前記処理値と前記周波数誤差推定値とを使用して、前記周波数補正率を形成するため後続の繰返しで使用される精度を高めた周波数誤差推定値を生成する手段(308)とを有することを特徴とするＤＳ−ＳＳ受信機。
【請求項１１】  前記推定ユニット(306,400)は、
前記逆拡散値を処理して検出器出力値を生成する微分検出器(402)と、
前記検出器出力値を累積する累積器(404)と、
前記累積された検出器出力値に関連した角度を決定して、前記周波数誤差推定値を出力する角度検出器(406)とを更に有することを特徴とする請求項１０記載のＤＳ−ＳＳ受信機。
【請求項１２】  前記相関器(302)は、データ変調を除去する手段を更に有することを特徴とする請求項１０記載のＤＳ−ＳＳ受信機。
【請求項１３】  前記逆拡散値または前記処理値を選択的に前記推定ユニット(306)に供給するスイッチ(304)を更に有することを特徴とする請求項１０記載のＤＳ−ＳＳ受信機。
【請求項１４】  前記処理回路は、
逆拡散値を逆回転して逆回転値を生成する逆回転ユニット(310)と、
前記逆回転値を累積して前記スイッチに出力する累積器(312)とを有することを特徴とする請求項１３記載のＤＳ−ＳＳ受信機。
【請求項１５】  データサンプルを逆拡散して逆拡散値を生成する工程と、
前記逆拡散値を逆回転して逆回転した逆拡散値を生成する工程と、
前記逆回転した逆拡散値を使用して周波数誤差推定値及び位相推定値を生成する工程と、
前記逆回転した逆拡散値を使用してチャネル推定値を生成する工程とを有することを特徴とするチャネル推定値を生成する方法。
【請求項１６】  請求項１５に記載のチャネル推定値を生成する方法と更に周波数を補足する方法を有して無線信号を処理する方法であって
前記周波数を補足する方法が、
前記逆拡散値を使用して周波数誤差推定値を生成する工程と、
前記周波数誤差推定値を使用して周波数補正率を形成する工程と、
前記周波数補正率を使用して前記逆拡散値を処理し、処理値を生成する工程と、
前記処理値と前記周波数誤差推定値とを使用して、前記周波数補正率を形成するため後続の繰返しで使用される精度を高めた周波数誤差推定値を生成する工程とを有することを特徴とする無線信号を処理する方法。
【請求項１７】  前記周波数誤差推定値を生成する工程は、
前記逆拡散値を微分検出して検出器出力値を生成する工程と、
前記検出器出力値を累積する工程と、
前記累積された検出器出力値に関連した角度を決定して、前記周波数誤差推定値を出力する工程とを更に有することを特徴とする請求項１６記載の無線信号を処理する方法。
【請求項１８】  前記逆拡散する工程は、データ変調を除去する工程を更に有することを特徴とする請求項１６記載の無線信号を処理する方法。
【請求項１９】  前記逆拡散値または前記処理値を選択的に周波数誤差推定値を生成する手段(306)に供給する工程を更に有することを特徴とする請求項１６記載の無線信号を処理する方法。
【請求項２０】  請求項１５に記載のチャネル推定値を生成する方法を有して無線信号を処理する方法であって、
データサンプルはトラヒック・チャネル逆拡散コードを使用して逆拡散されて、トラヒック逆拡散値が生成され、更に、データサンプルはパイロット・チャネル逆拡散コードを使用して逆拡散されて、パイロット逆拡散値が生成され、
前記パイロット逆拡散値は処理されて、瞬間チャネル測定値が生成され、
前記瞬間チャネル測定値を使用してチャネル追跡が実施され、チャネル推定値が生成され、
位相誤差が前記チャネル推定値と瞬間チャネル測定値とを使用して計算され、
前記位相推定値及び周波数誤差推定値が前記位相誤差を使用して生成され、
前記トラヒック逆拡散値は前記チャネル推定値と前記位相推定値とを使用して処理されて、情報シンボルが検出されることを特徴とする無線信号を処理する方法。
【請求項２１】  請求項１５に記載のチャネル推定値を生成する方法を有して無線信号を処理する方法であって、
データサンプルは、トラヒック・チャネル逆拡散コードを使用して逆拡散されて、トラヒック逆拡散値が生成され、更に、データサンプルは、パイロット・チャネル逆拡散コードを使用して逆拡散されて、パイロット逆拡散値が生成され、
前記パイロット逆拡散値は逆回転されて、逆回転値が生成され、
前記逆回転値を使用してチャネル追跡が実施され、チャネル推定値が生成され、
位相誤差が前記逆回転値を使用して計算され、
前記位相推定値及び周波数誤差推定値が前記位相誤差を使用して生成され、
前記トラヒック逆拡散値は前記チャネル推定値と前記位相推定値とを使用して処理されて、情報シンボルが検出されることを特徴とする無線信号を処理する方法。